(57)【要約】【課題】ＦＭ多重放送信号の受信感度が悪化した場合に安定した受信感度の受信経路に切替えることができる車載受信装置を提供すること。【解決手段】テレビジョン放送信号および第１のＦＭ多重放送信号の何れかを受信するテレビ受信手段１１５と、ラジオ放送信号および第２のＦＭ多重放送信号の何れかを受信するラジオ受信手段１２５と、受信する放送信号の信号周波数を指定する周波数指定手段１３０と、第１のＦＭ多重放送信号および第２のＦＭ多重放送信号の受信感度を検出する受信感度検出手段１４０と、第１のＦＭ多重放送信号と第２のＦＭ多重放送信号が同時に受信されているときに受信感度に応じて第１のＦＭ多重放送信号および第２のＦＭ多重放送信号の何れかを復調する信号復調手段１５１、１５２とによって構成される。【選択図】　図１
2004080681.tif 000002
【特許請求の範囲】
【請求項１】
テレビジョン放送信号およびＦＭラジオ放送に重畳されて送信される第１のＦＭ多重放送信号の何れかの放送信号を受信するテレビ受信手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号のそれぞれの受信感度を検出する受信感度検出手段とを備え、前記第１のＦＭ多重放送信号および前記第２のＦＭ多重放送信号の双方が同一の情報を有するときには、前記信号復調手段が、前記受信感度に応じて前記第１のＦＭ多重放送信号および前記第２のＦＭ多重放送信号の何れかのＦＭ多重放送信号を復調することを特徴とする車載受信装置。
【請求項２】
前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調することを特徴とする請求項１に記載の車載受信装置。
【請求項３】
前記受信感度検出手段による前記受信感度の検出が、前記第１のＦＭ多重放送信号および前記第２のＦＭ多重放送信号のブロック同期が確立されているか否かの判定に基づいて行われ、前記第１のＦＭ多重放送信号および前記第２のＦＭ多重放送信号の双方が同一の情報を有し前記第１のＦＭ多重放送信号のブロック同期が確立されていないと判定された場合には、前記信号復調手段が、前記第２のＦＭ多重放送信号を復調し、前記第１のＦＭ多重放送信号および前記第２のＦＭ多重放送信号の双方が同一の情報を有し前記第２のＦＭ多重放送信号のブロック同期が確立されていないと判定された場合には、前記信号復調手段が、前記第１のＦＭ多重放送信号を復調することを特徴とする請求項１に記載の車載受信装置。
【請求項４】
複数のアンテナと、前記複数のアンテナの何れかと接続されテレビジョン放送信号およびＦＭラジオ放送に重畳されて送信される第１のＦＭ多重放送信号の何れかの放送信号を受信するテレビ受信手段と、前記テレビ受信手段と前記複数のアンテナとの接続を切替えるアンテナ切替手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号の受信感度を検出する受信感度検出手段とを備え、前記第１のＦＭ多重放送信号および前記第２のＦＭ多重放送信号の双方が同一の情報を有するときには、前記信号復調手段が、前記受信感度に応じて前記第１のＦＭ多重放送信号および前記第２のＦＭ多重放送信号の何れかのＦＭ多重放送信号を復調し、前記アンテナ切替手段が、前記第１のＦＭ多重放送信号の受信状態を判定し、前記受信状態の判定に応じて前記テレビ受信手段と前記複数のアンテナとの接続を切替えることを特徴とする車載受信装置。
【請求項５】
前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調し、前記アンテナ切替手段による前記受信状態の判定が、前記第１のＦＭ多重放送信号のブロック同期が確立されているか否かの判定に基づいて行われ、前記第１のＦＭ多重放送信号のブロック同期が確立されていないと判定された場合に前記アンテナ切替手段が前記テレビ受信手段と前記複数のアンテナとの接続を切替えることを特徴とする請求項４に記載の車載受信装置。
【請求項６】
前記受信感度検出手段による前記受信感度の検出が、前記第１のＦＭ多重放送信号および前記第２のＦＭ多重放送信号のブロック同期が確立されているか否かの判定に基づいて行われ、前記第１のＦＭ多重放送信号および前記第２のＦＭ多重放送信号の双方が同一の情報を有し前記第１のＦＭ多重放送信号のブロック同期が確立されていないと判定された場合には、前記信号復調手段が、前記第２のＦＭ多重放送信号を復調し、前記第１のＦＭ多重放送信号および前記第２のＦＭ多重放送信号の双方が同一の情報を有し前記第２のＦＭ多重放送信号のブロック同期が確立されていないと判定された場合には、前記信号復調手段が、前記第１のＦＭ多重放送信号を復調し、前記アンテナ切替手段による前記受信状態の判定が、前記第１のＦＭ多重放送信号の電界強度が予め設定された値を超えたか否かの判定に基づいて行われ、前記電界強度が前記予め設定された値以下になった場合に前記アンテナ切替手段が前記テレビ受信手段と前記複数のアンテナとの接続を切替えることを特徴とする請求項４に記載の車載受信装置。
【請求項７】
前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調し、前記アンテナ切替手段による前記受信状態の判定が、前記第１のＦＭ多重放送信号の電界強度が予め設定された値を超えたか否かの判定に基づいて行われ、前記電界強度が前記予め設定された値以下になった場合に前記アンテナ切替手段が前記テレビ受信手段と前記複数のアンテナとの接続を切替えることを特徴とする請求項４に記載の車載受信装置。
【請求項８】
複数のアンテナと、前記複数のアンテナの何れかと接続されテレビジョン放送信号およびＦＭラジオ放送に重畳されて送信される第１のＦＭ多重放送信号の何れかの放送信号を受信するテレビ受信手段と、前記テレビ受信手段と前記複数のアンテナとの接続を切替えるアンテナ切替手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号のブロック同期が確立されているか否かの判定を行うブロック同期判定手段とを備え、前記第１のＦＭ多重放送信号および前記第２のＦＭ多重放送信号の双方が同一の情報を有し前記ブロック同期判定手段によって前記第２のＦＭ多重放送信号のブロック同期が確立されていないと判定された場合には、前記信号復調手段が、前記第１のＦＭ多重放送信号を復調し、前記第１のＦＭ多重放送信号および前記第２のＦＭ多重放送信号の双方が同一の情報を有し前記ブロック同期判定手段によって前記第１のＦＭ多重放送信号のブロック同期が確立されていないと判定された場合には、前記アンテナ切替手段が、前記テレビ受信手段と前記複数のアンテナとの接続を切替え、前記テレビ受信手段と前記複数のアンテナのうちの何れかとが接続されても前記第１のＦＭ多重放送信号のブロック同期が確立されないと判定された場合には、前記信号復調手段が、前記第２のＦＭ多重放送信号を復調することを特徴とする車載受信装置。
【請求項９】
同一の情報を有する前記ＦＭ多重放送信号を受信するための複数の信号周波数があることを示すフラグを検出するフラグ検出手段を備え、前記第１のＦＭ多重放送信号および前記第２のＦＭ多重放送信号の双方が同一の情報を有し前記フラグが検出されたときには前記周波数指定手段が前記テレビ受信手段および前記ラジオ受信手段に同一の情報を有しそれぞれ周波数の値が異なる前記第１のＦＭ多重放送信号および前記第２のＦＭ多重放送信号を受信させるように信号周波数を指定することを特徴とする請求項１乃至請求項８の何れかに記載の車載受信装置。
【発明の詳細な説明】
【０００１】
【発明の属する技術分野】
本発明は、車載用のテレビジョン放送、ラジオ放送、およびＦＭ多重放送を受信するための車載受信装置に関するものである。
【０００２】
【従来の技術】
従来、この種の車載受信装置として、図５に示すようなものが知られている。
【０００３】
図５に示す従来の車載受信装置９００は、テレビジョン放送信号受信用のテレビ用アンテナ９１０、テレビ用アンテナ９１０を介してテレビジョン放送信号を受信するテレビ受信手段９１５、ラジオ放送信号受信用のラジオ用アンテナ９２０、ラジオ用アンテナ９２０を介してラジオ放送信号とＦＭ多重放送信号とを受信するラジオ受信手段９２５、ＦＭ多重放送信号を復調した信号である復調信号を生成するＦＭ多重信号復調手段９５２、および復調信号に基づいてＦＭ多重放送の情報を出力する多重情報出力手段９９０によって構成されている。
【０００４】
前述のように構成された車載受信装置９００において、ＦＭ多重放送信号が、ラジオ用アンテナ９２０を介してラジオ受信手段９２５によって受信され、ＦＭ多重信号復調手段９５２によって復調され、ＦＭ多重放送の情報が多重情報出力手段９９０によって出力される１つの受信経路を辿っていた。
【０００５】
【発明が解決しようとする課題】
しかしながら、このような従来の車載受信装置では、１つの受信経路だけでＦＭ多重放送信号を受信および復調するために、ＦＭ多重放送信号の受信感度が悪化した場合に安定した受信感度の受信経路に切替えることができないという問題があった。
【０００６】
本発明は、このような問題を解決するためになされたもので、ＦＭ多重放送信号の受信感度が悪化した場合に安定した受信感度の受信経路に切替えることができる車載受信装置を提供するものである。
【０００７】
【課題を解決するための手段】
本発明の車載受信装置は、テレビジョン放送信号およびＦＭラジオ放送に重畳されて送信される第１のＦＭ多重放送信号の何れかの放送信号を受信するテレビ受信手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号のそれぞれの受信感度を検出する受信感度検出手段とを備え、前記第１のＦＭ多重放送信号および前記第２のＦＭ多重放送信号の双方が同一の情報を有するときには、前記信号復調手段が、前記受信感度に応じて前記第１のＦＭ多重放送信号および前記第２のＦＭ多重放送信号の何れかのＦＭ多重放送信号を復調する構成を有している。
【０００８】
この構成により、ラジオ受信手段だけでなくテレビ受信手段にもＦＭ多重放送信号を受信させ、双方の受信手段が受信したＦＭ多重放送信号のうち受信感度がよいものを復調するため、ＦＭ多重放送信号の受信感度が悪化した場合にＦＭ多重放送信号の受信経路を安定した受信感度の受信経路に切替えることができる。
【０００９】
また、本発明の車載受信装置は、前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調する構成を有している。
【００１０】
この構成により、ラジオ受信手段だけでなくテレビ受信手段にもＦＭ多重放送信号を受信させ、双方の受信手段が受信したＦＭ多重放送信号のうち電界強度が高いものを復調するため、ＦＭ多重放送信号の受信感度が悪化した場合にＦＭ多重放送信号の受信経路を安定した受信感度の受信経路に切替えることができる。
【００１１】
また、本発明の車載受信装置は、前記受信感度検出手段による前記受信感度の検出が、前記第１のＦＭ多重放送信号および前記第２のＦＭ多重放送信号のブロック同期が確立されているか否かの判定に基づいて行われ、前記第１のＦＭ多重放送信号および前記第２のＦＭ多重放送信号の双方が同一の情報を有し前記第１のＦＭ多重放送信号のブロック同期が確立されていないと判定された場合には、前記信号復調手段が、前記第２のＦＭ多重放送信号を復調し、前記第１のＦＭ多重放送信号および前記第２のＦＭ多重放送信号の双方が同一の情報を有し前記第２のＦＭ多重放送信号のブロック同期が確立されていないと判定された場合には、前記信号復調手段が、前記第１のＦＭ多重放送信号を復調する構成を有している。
【００１２】
この構成により、ラジオ受信手段だけでなくテレビ受信手段にもＦＭ多重放送信号を受信させ、一方の受信手段によって受信されたＦＭ多重放送信号を復調し、ブロック同期が確立されていないと判定された場合にもう一方の受信手段によって受信されたＦＭ多重放送信号を復調するため、ＦＭ多重放送信号の受信感度が悪化した場合にＦＭ多重放送信号の受信経路を安定した受信感度の受信経路に切替えることができる。
【００１３】
また、本発明の車載受信装置は、複数のアンテナと、前記複数のアンテナの何れかと接続されテレビジョン放送信号およびＦＭラジオ放送に重畳されて送信される第１のＦＭ多重放送信号の何れかの放送信号を受信するテレビ受信手段と、前記テレビ受信手段と前記複数のアンテナとの接続を切替えるアンテナ切替手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号の受信感度を検出する受信感度検出手段とを備え、前記第１のＦＭ多重放送信号および前記第２のＦＭ多重放送信号の双方が同一の情報を有するときには、前記信号復調手段が、前記受信感度に応じて前記第１のＦＭ多重放送信号および前記第２のＦＭ多重放送信号の何れかのＦＭ多重放送信号を復調し、前記アンテナ切替手段が、前記第１のＦＭ多重放送信号の受信状態を判定し、前記受信状態の判定に応じて前記テレビ受信手段と前記複数のアンテナとの接続を切替える構成を有している。
【００１４】
この構成により、ラジオ受信手段だけでなくテレビ受信手段にもＦＭ多重放送信号を受信させ、双方の受信手段が受信したＦＭ多重放送信号のうち受信感度の良いものを復調するのに加えて、ＦＭ多重放送信号の受信状態に応じてテレビ受信用の複数のアンテナを切替えるため、ＦＭ多重放送信号の受信感度が悪化した場合にＦＭ多重放送信号の受信経路を安定した受信感度の受信経路に切替えることができる。
【００１５】
また、本発明の車載受信装置は、前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調し、前記アンテナ切替手段による前記受信状態の判定が、前記第１のＦＭ多重放送信号のブロック同期が確立されているか否かの判定に基づいて行われ、前記第１のＦＭ多重放送信号のブロック同期が確立されていないと判定された場合に前記アンテナ切替手段が前記テレビ受信手段と前記複数のアンテナとの接続を切替える構成を有している。
【００１６】
この構成により、ラジオ受信手段だけでなくテレビ受信手段にもＦＭ多重放送信号を受信させ、双方の受信手段が受信したＦＭ多重放送信号のうち電界強度が高いものを復調するのに加えて、ＦＭ多重放送信号のブロック同期が確立されているか否かに応じてテレビ受信用の複数のアンテナを切替えるため、ＦＭ多重放送信号の受信感度が悪化した場合にＦＭ多重放送信号の受信経路を安定した受信感度の受信経路に切替えることができる。
【００１７】
また、本発明の車載受信装置は、前記受信感度検出手段による前記受信感度の検出が、前記第１のＦＭ多重放送信号および前記第２のＦＭ多重放送信号のブロック同期が確立されているか否かの判定に基づいて行われ、前記第１のＦＭ多重放送信号および前記第２のＦＭ多重放送信号の双方が同一の情報を有し前記第１のＦＭ多重放送信号のブロック同期が確立されていないと判定された場合には、前記信号復調手段が、前記第２のＦＭ多重放送信号を復調し、前記第１のＦＭ多重放送信号および前記第２のＦＭ多重放送信号の双方が同一の情報を有し前記第２のＦＭ多重放送信号のブロック同期が確立されていないと判定された場合には、前記信号復調手段が、前記第１のＦＭ多重放送信号を復調し、前記アンテナ切替手段による前記受信状態の判定が、前記第１のＦＭ多重放送信号の電界強度が予め設定された値を超えたか否かの判定に基づいて行われ、前記電界強度が前記予め設定された値以下になった場合に前記アンテナ切替手段が前記テレビ受信手段と前記複数のアンテナとの接続を切替える構成を有している。
【００１８】
この構成により、ラジオ受信手段だけでなくテレビ受信手段にもＦＭ多重放送信号を受信させ、一方の受信手段によって受信されたＦＭ多重放送信号を復調し、ブロック同期が確立されていないと判定された場合にもう一方の受信手段によって受信されたＦＭ多重放送信号を復調するのに加えて、ＦＭ多重放送信号の電界強度に応じてテレビ受信用の複数のアンテナを切替えるため、ＦＭ多重放送信号の受信感度が悪化した場合にＦＭ多重放送信号の受信経路を安定した受信感度の受信経路に切替えることができる。
【００１９】
また、本発明の車載受信装置は、前記受信感度検出手段による前記受信感度の検出が、前記第１のＦＭ多重放送信号および前記第２のＦＭ多重放送信号の電界強度に基づいて行われ、前記第１のＦＭ多重放送信号および前記第２のＦＭ多重放送信号の双方が同一の情報を有するときには、前記信号復調手段が、前記第１のＦＭ多重放送信号および前記第２のＦＭ多重放送信号のうち前記電界強度が大きいものを復調し、前記アンテナ切替手段による前記受信状態の判定が、前記第１のＦＭ多重放送信号の電界強度が予め設定された値を超えたか否かの判定に基づいて行われ、前記電界強度が前記予め設定された値以下になった場合に前記アンテナ切替手段が前記テレビ受信手段と前記複数のアンテナとの接続を切替える構成を有している。
【００２０】
この構成により、ラジオ受信手段だけでなくテレビ受信手段にもＦＭ多重放送信号を受信させ、双方の受信手段が受信したＦＭ多重放送信号のうち電界強度が高いものを復調するのに加えて、ＦＭ多重放送信号の電界強度に応じてテレビ受信用の複数のアンテナを切替えるため、ＦＭ多重放送信号の受信感度が悪化した場合にＦＭ多重放送信号の受信経路を安定した受信感度の受信経路に切替えることができる。
【００２１】
また、本発明の車載受信装置は、複数のアンテナと、前記複数のアンテナの何れかと接続されてテレビジョン放送信号およびＦＭラジオ放送に重畳されて送信される第１のＦＭ多重放送信号の何れかの放送信号を受信するテレビ受信手段と、前記テレビ受信手段と前記複数のアンテナとの接続を切替えるアンテナ切替手段と、ラジオ放送信号およびＦＭラジオ放送に重畳されて送信される第２のＦＭ多重放送信号の何れかの放送信号を受信するラジオ受信手段と、前記テレビ受信手段および前記ラジオ受信手段のそれぞれが受信する放送信号の信号周波数を指定する周波数指定手段と、前記第１のＦＭ多重放送信号および前記第２のＦＭ多重放送信号の何れかのＦＭ多重放送信号を復調する信号復調手段と、前記第１のＦＭ多重放送信号および前記第２のＦＭ多重放送信号のブロック同期が確立されているか否かの判定を行うブロック同期判定手段とを備え、前記第１のＦＭ多重放送信号および前記第２のＦＭ多重放送信号の双方が同一の情報を有し前記ブロック同期判定手段によって前記第２のＦＭ多重放送信号のブロック同期が確立されていないと判定された場合には、前記信号復調手段が、前記第１のＦＭ多重放送信号を復調し、前記第１のＦＭ多重放送信号および前記第２のＦＭ多重放送信号の双方が同一の情報を有し前記ブロック同期判定手段によって前記第１のＦＭ多重放送信号のブロック同期が確立されていないと判定された場合には、前記アンテナ切替手段が、前記テレビ受信手段と前記複数のアンテナとの接続を切替え、前記テレビ受信手段と前記複数のアンテナのうちの何れかとが接続されても前記第１のＦＭ多重放送信号のブロック同期が確立されないと判定された場合には、前記信号復調手段が、前記第２のＦＭ多重放送信号を復調する構成を有している。
【００２２】
この構成により、ラジオ受信手段だけでなくテレビ受信手段にもＦＭ多重放送信号を受信させ、一方の受信手段によって受信されたＦＭ多重放送信号を復調し、ブロック同期が確立されていないと判定された場合にもう一方の受信手段によって受信されたＦＭ多重放送信号を復調するのに加えて、ＦＭ多重放送信号のブロック同期が確立されているか否かに応じてテレビ受信用の複数のアンテナを切替えるため、ＦＭ多重放送信号の受信感度が悪化した場合にＦＭ多重放送信号の受信経路を安定した受信感度の受信経路に切替えることができる。
【００２３】
また、本発明の車載受信装置は、同一の情報を有する前記ＦＭ多重放送信号を受信するための複数の信号周波数があることを示すフラグを検出するフラグ検出手段を備え、前記第１のＦＭ多重放送信号および前記第２のＦＭ多重放送信号の双方が同一の情報を有し前記フラグが検出されたときには前記周波数指定手段が前記テレビ受信手段および前記ラジオ受信手段に同一の情報を有しそれぞれ周波数の値が異なる前記第１および第２のＦＭ多重放送信号を受信させるように信号周波数を指定する構成を有している。
【００２４】
この構成により、ラジオ受信手段だけでなくテレビ受信手段にもＦＭ多重放送信号を受信させ、双方の受信手段が受信したＦＭ多重放送信号のうち受信感度がよいものを復調するため、ＦＭ多重放送信号の受信感度が悪化した場合にＦＭ多重放送信号の受信経路を安定した受信感度の受信経路に切替えることが可能であり、また、同一の情報を有するＦＭ多重放送信号の信号周波数が複数ある場合に、それぞれ周波数の異なるＦＭ多重放送信号を受信し、受信感度の良いものを復調するため、ＦＭ多重放送信号を安定して受信することができる。
【００２５】
【発明の実施の形態】
以下、本発明の実施の形態について、図面を参照して説明する。
（第１の実施の形態）
図１は、本発明の第１の実施の形態の車載受信装置の構成を示すブロック図である。
車載受信装置１００は、テレビジョン放送信号受信用の複数のテレビ用アンテナ１１０、複数のテレビ用アンテナ１１０と後述のテレビ受信手段１１５との接続を切替えるアンテナ切替手段１１１、テレビ用アンテナ１１０およびアンテナ切替手段１１１を介してテレビジョン放送信号および第１のＦＭ多重放送信号の何れかの放送信号を受信するテレビ受信手段１１５、ラジオ放送信号受信用のラジオ用アンテナ１２０、ラジオ用アンテナ１２０を介してラジオ放送信号および第２のＦＭ多重放送信号の何れかの放送信号を受信するラジオ受信手段１２５、テレビ受信手段１１５およびラジオ受信手段１２５のそれぞれが受信する放送信号の信号周波数を指定する周波数指定手段１３０、第１のＦＭ多重放送信号の電界強度と第２のＦＭ多重放送信号の電界強度とを比較する電界強度比較手段１４０、テレビ受信手段１１５またはラジオ受信手段１２５の何れかと後述のＦＭ多重信号復調手段１５２との接続を切替える接続切替手段１５１、ＦＭ多重放送信号を復調した信号である復調信号を生成するＦＭ多重信号復調手段１５２、同一の情報を有するＦＭ多重放送信号を受信するための複数の信号周波数があることを示すフラグを検出するフラグ検出手段１８０、および復調信号に基づいてＦＭ多重放送の情報を出力する多重情報出力手段１９０によって構成される。
【００２６】
なお、接続切替手段１５１およびＦＭ多重信号復調手段１５２によって、第１のＦＭ多重放送信号および第２のＦＭ多重放送信号の何れかのＦＭ多重放送信号を復調する信号復調手段が構成され、電界強度比較手段１４０によって、第１のＦＭ多重放送信号および第２のＦＭ多重放送信号のそれぞれの受信感度を検出する受信感度検出手段が構成される。
【００２７】
また、ＦＭ多重放送において送信される情報は、例えば、天気予報、道路交通情報、放送中の曲名情報などによって構成される。
また、第１のＦＭ多重放送信号および第２のＦＭ多重放送信号は、同一の情報を有しているものとする。
【００２８】
複数のテレビ用アンテナ１１０は、電磁波を媒介として大気中を伝播してきたテレビジョン放送信号および第１のＦＭ多重放送信号の何れかをアンテナ切替手段１１１を介してテレビ受信手段１１５に受信させるようになっている。なお、車載受信装置１００は、１つのテレビ用アンテナ１１０で構成されてもよい。
【００２９】
アンテナ切替手段１１１には、ＦＭ多重信号復調手段１５２によって出力された第１のＦＭ多重放送信号に基づいた復調信号が入力されるようになっており、アンテナ切替手段１１１は、入力された復調信号に基づいて第１のＦＭ多重放送信号のブロック同期が確立されているか否かを判定し、第１のＦＭ多重放送信号のブロック同期が確立されていないと判定された場合には複数のテレビ用アンテナ１１０の何れかとテレビ受信手段１１５との接続を切替えるようになっている。
【００３０】
なお、アンテナ切替手段１１１は、テレビ受信手段１１５によってテレビジョン放送信号が受信されている場合にも、テレビジョン放送信号の受信状態に応じて複数のテレビ用アンテナ１１０の何れかとテレビ受信手段１１５との接続を切替えるようにもなっている。
【００３１】
テレビ受信手段１１５には、周波数指定手段１３０によって出力された値であって、受信する信号の周波数を示す第１の指定周波数値が入力されるようになっている。
テレビ受信手段１１５は、入力された第１の指定周波数値に応じて、テレビ用アンテナ１１０およびアンテナ切替手段１１１を介してテレビジョン放送信号および第１のＦＭ多重放送信号の何れかを受信するようになっている。なお、テレビ受信手段１１５は、受信した信号の周波数を中間周波数に変換し、さらに検波するようになっている。
【００３２】
また、テレビ受信手段１１５は、テレビジョン放送信号を受信した場合に、受信したテレビジョン放送信号に含まれる映像と音声とを出力可能な図示しない出力装置にテレビジョン放送信号を出力するようになっている。
また、テレビ受信手段１１５は、第１のＦＭ多重放送信号を受信した場合に、受信した第１のＦＭ多重放送信号を電界強度比較手段１４０に出力し、さらに、受信した第１のＦＭ多重放送信号を接続切替手段１５１を介してＦＭ多重信号復調手段１５２に出力するようになっている。
【００３３】
ラジオ用アンテナ１２０は、電磁波を媒介として大気中を伝播してきたラジオ放送信号および第２のＦＭ多重放送信号の何れかをラジオ受信手段１２５に受信させるようになっている。
ラジオ受信手段１２５には、周波数指定手段１３０によって出力された値であって、受信する信号の周波数を示す第２の指定周波数値が入力されるようになっている。
【００３４】
ラジオ受信手段１２５は、入力された第２の指定周波数値に応じて、ラジオ用アンテナ１２０を介してラジオ放送信号および第２のＦＭ多重放送信号の何れかを受信するようになっている。なお、ラジオ受信手段１２５は、受信した信号の周波数を中間周波数に変換し、さらに検波するようになっている。
【００３５】
また、ラジオ受信手段１２５は、ラジオ放送信号を受信した場合に、受信したラジオ放送信号に含まれる音声を出力可能な図示しない出力装置にラジオ放送信号を出力するようになっている。
また、ラジオ受信手段１２５は、第２のＦＭ多重放送信号を受信した場合に、受信した第２のＦＭ多重放送信号を電界強度比較手段１４０に出力し、さらに、受信した第２のＦＭ多重放送信号を接続切替手段１５１を介してＦＭ多重信号復調手段１５２に出力するようになっている。
【００３６】
周波数指定手段１３０には、外部からテレビジョン放送を受信するか、ラジオ放送を受信するか、またはＦＭ多重放送を受信するかの指示が外部から入力されるようになっている。
ラジオ放送のみを受信する指示が入力された場合に、周波数指定手段１３０は、入力された指示に応じたラジオ放送信号の信号周波数を示す第２の指定周波数値を生成し、生成された第２の指定周波数値をラジオ受信手段１２５に出力するようになっている。
【００３７】
ラジオ放送とＦＭ多重放送を受信する指示が入力された場合に、周波数指定手段１３０は、入力された指示に応じたラジオ放送信号の信号周波数を示す第２の指定周波数値を生成し、生成された第２の指定周波数値をラジオ受信手段１２５に出力し、入力された指示に応じたＦＭ多重放送信号の信号周波数を示す第１の指定周波数値を生成し、生成された第１の指定周波数値をテレビ受信手段１１５に出力し、さらに、テレビ受信手段１１５とＦＭ多重信号復調手段１５２との接続を指示する信号、すなわち第１の接続信号を接続切替手段１５１に出力するようになっている。
【００３８】
テレビジョン放送のみを受信する指示が入力された場合に、周波数指定手段１３０は、入力された指示に応じたテレビジョン放送信号の信号周波数を示す第１の指定周波数値を生成し、生成された第１の指定周波数値をテレビ受信手段１１５に出力するようになっている。
【００３９】
テレビジョン放送とＦＭ多重放送とを受信する指示が入力された場合に、周波数指定手段１３０は、入力された指示に応じたテレビジョン放送信号の信号周波数を示す第１の指定周波数値を生成し、生成された第１の指定周波数値をテレビ受信手段１１５に出力し、入力された指示に応じたＦＭ多重放送信号の信号周波数を示す第２の指定周波数値を生成し、生成された第２の指定周波数値をラジオ受信手段１２５に出力し、さらに、ラジオ受信手段１２５とＦＭ多重信号復調手段１５２との接続を指示する信号、すなわち第２の接続信号を接続切替手段１５１に出力するようになっている。
【００４０】
ＦＭ多重放送を受信する指示が入力された場合、周波数指定手段１３０は、入力された指示に応じたＦＭ多重放送信号の信号周波数を示す第１の指定周波数値および第２の指定周波数値をそれぞれ生成し、生成された第１の指定周波数値をテレビ受信手段１１５に出力し、生成された第２の指定周波数値をラジオ受信手段１２５に出力するようになっている。
【００４１】
さらに、周波数指定手段１３０には、フラグ検出手段１８０によって検出されたフラグが入力されるようになっており、周波数指定手段１３０は、入力されたフラグに応じて第１の指定周波数値および第２の指定周波数値を変更し、変更された第１の指定周波数値および第２の指定周波数値をそれぞれテレビ受信手段１１５およびラジオ受信手段１２５に出力するようになっている。
なお、フラグには、同一の情報を有するＦＭ多重放送信号を受信するための複数の信号周波数があることを示す情報が含まれているものとする。
【００４２】
電界強度比較手段１４０には、テレビ受信手段１１５によって出力された第１のＦＭ多重放送信号とラジオ受信手段１２５によって出力された第２のＦＭ多重放送信号とが入力されるようになっている。
【００４３】
第１のＦＭ多重放送信号と第２のＦＭ多重放送信号とが同時に入力されている場合に、電界強度比較手段１４０は、入力された第１のＦＭ多重放送信号の電界強度、すなわち第１の電界強度と、入力された第２のＦＭ多重放送信号の電界強度、すなわち第２の電界強度とを検出し、検出された第１の電界強度と第２の電界強度との比較、すなわち電界強度比較を行うようになっている。
【００４４】
上述の電界強度比較によって、第２の電界強度よりも第１の電界強度が大きいと判定された場合に、電界強度比較手段１４０は、第１の接続信号を接続切替手段１５１に出力するようになっている。
また、上述の電界強度比較によって、第１の電界強度よりも第２の電界強度が大きいと判定された場合に、電界強度比較手段１４０は、第２の接続信号を接続切替手段１５１に出力するようになっている。
【００４５】
接続切替手段１５１には、周波数指定手段１３０または電界強度比較手段１４０によって出力された第１の接続信号または第２の接続信号の何れかが入力されるようになっている。
接続切替手段１５１は、入力された第１の接続信号に応じてテレビ受信手段１１５とＦＭ多重信号復調手段１５２とを接続するようになっている。
また、接続切替手段１５１は、入力された第２の接続信号に応じてラジオ受信手段１２５とＦＭ多重信号復調手段１５２とを接続するようになっている。
【００４６】
ＦＭ多重信号復調手段１５２には、第１のＦＭ多重放送信号および第２のＦＭ多重放送信号の何れかが接続切替手段１５１を介して入力されるようになっている。
また、ＦＭ多重信号復調手段１５２は、入力された第１のＦＭ多重放送信号および第２のＦＭ多重放送信号の何れかを復調した信号である復調信号を生成し、生成された復調信号を多重情報出力手段１９０に出力するようになっている。
また、ＦＭ多重信号復調手段１５２は、第１のＦＭ多重放送信号を復調した場合には、復調信号をアンテナ切替手段１１１に出力するようになっている。
【００４７】
フラグ検出手段１８０は、同一の情報を有するＦＭ多重放送信号を受信するための複数の信号周波数があることを示すフラグを検出し、検出されたフラグを周波数指定手段１３０に出力するようになっている。
なお、フラグ検出手段１８０によって検出されるフラグは、例えば、ＦＭ多重放送信号に含まれているものでもよいし、外部装置によって地域情報の一部として出力されている信号であってもよい。
【００４８】
多重情報出力手段１９０には、ＦＭ多重信号復調手段１５２によって出力された復調信号が入力されるようになっており、多重情報出力手段１９０は、入力された復調信号に基づいた情報を視認可能に出力するようになっている。ここで、多重情報出力手段１９０は、例えば、カーナビゲーションまたはテレビ用の液晶ディスプレイによって構成されてもよいし、その他の表示手段によって構成されてもよい。
【００４９】
以下、本発明の第１の実施の形態の車載受信装置の動作について説明する。
車載受信装置１００においてテレビジョン放送信号のみが受信される場合に、外部から周波数指定手段１３０にテレビジョン放送信号の受信が指示され、外部からの指示に応じた第１の指定周波数値が周波数指定手段１３０によってテレビ受信手段１１５に入力され、第１の指定周波数値に応じた周波数のテレビジョン放送信号がテレビ用アンテナ１１０およびアンテナ切替手段１１１を介してテレビ受信手段１１５によって受信される。
【００５０】
車載受信装置１００においてラジオ放送信号のみが受信される場合に、外部から周波数指定手段１３０にラジオ放送信号の受信が指示され、外部からの指示に応じた第２の指定周波数値が周波数指定手段１３０によってラジオ受信手段１２５に入力され、第２の指定周波数値に応じた周波数のラジオ放送信号がラジオ用アンテナ１２０を介してラジオ受信手段１２５によって受信される。
【００５１】
車載受信装置１００においてテレビジョン放送信号とＦＭ多重放送信号が受信される場合に、まず、外部から周波数指定手段１３０にテレビジョン放送信号とＦＭ多重放送信号との受信が指示され、外部からの指示に応じた第１の指定周波数値および第２の指定周波数値が周波数指定手段１３０によってそれぞれテレビ受信手段１１５およびラジオ受信手段１２５に入力され、第１の指定周波数値に応じた周波数のテレビジョン放送信号がテレビ用アンテナ１１０およびアンテナ切替手段１１１を介してテレビ受信手段１１５によって受信され、第２の指定周波数値に応じた周波数のＦＭ多重放送信号がラジオ用アンテナ１２０を介してラジオ受信手段１２５によって受信される。
【００５２】
次に、第２の接続信号が周波数指定手段１３０によって接続切替手段１５１に入力され、ラジオ受信手段１２５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【００５３】
車載受信装置１００においてラジオ放送信号とＦＭ多重放送信号とが受信される場合に、まず、外部から周波数指定手段１３０にラジオ放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段１１１を介してテレビ受信手段１１５によって受信され、第２の指定周波数値に応じた周波数のラジオ放送信号がラジオ用アンテナ１２０を介してラジオ受信手段１２５によって受信される。
【００５４】
次に、第１の接続信号が周波数指定手段１３０によって接続切替手段１５１に入力され、テレビ受信手段１１５によって受信された第１のＦＭ多重放送信号がＦＭ多重信号復調手段１５２に入力され、第１のＦＭ多重放送信号がＦＭ多重信号復調手段１５２によって復調されて復調信号が生成され、復調信号に基づいたＦＭ多重放送の情報が多重情報出力手段１９０によって出力される。
【００５５】
ここで、アンテナ切替手段１１１によって第１のＦＭ多重放送信号のブロック同期が確立されていないと判定された場合には、アンテナ切替手段１１１によってテレビ受信手段１１５と複数のテレビ用アンテナ１１０の何れかとの接続が切替えられる。
【００５６】
車載受信装置１００においてＦＭ多重放送信号のみが受信される場合に、まず、外部から周波数指定手段１３０にＦＭ多重放送信号の受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段１１１を介してテレビ受信手段１１５によって受信され、第２の指定周波数値に応じた周波数の第２のＦＭ多重放送信号がラジオ用アンテナ１２０を介してラジオ受信手段１２５によって受信される。
【００５７】
次に、電界強度比較手段１４０によって第１の電界強度と第２の電界強度とが比較され、第２の電界強度よりも第１の電界強度が大きいと判定された場合に、第１の接続信号が電界強度比較手段１４０によって接続切替手段１５１に入力され、テレビ受信手段１１５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【００５８】
なお、アンテナ切替手段１１１によって第１のＦＭ多重放送信号のブロック同期が確立されていないと判定された場合には、アンテナ切替手段１１１によってテレビ受信手段１１５と複数のテレビ用アンテナ１１０の何れかとの接続が切替えられる。
【００５９】
一方、電界強度比較手段１４０によって第１の電界強度と第２の電界強度とが比較され、第１の電界強度よりも第２の電界強度が大きいと判定された場合に、第２の接続信号が電界強度比較手段１４０によって接続切替手段１５１に入力され、ラジオ受信手段１２５によって受信された第２のＦＭ多重放送信号がＦＭ多重信号復調手段１５２に入力され、第２のＦＭ多重放送信号がＦＭ多重信号復調手段１５２によって復調されて復調信号が生成され、復調信号に基づいたＦＭ多重放送の情報が多重情報出力手段１９０によって出力される。
【００６０】
ここで、フラグ検出手段１８０によってフラグが検出された場合には、検出されたフラグが周波数指定手段１３０に入力され、フラグに応じた第１の指定周波数値および第２の指定周波数値がテレビ受信手段１１５およびラジオ受信手段１２５に出力される。
【００６１】
以上説明したように、本発明の第１の実施の形態の車載受信装置は、ラジオ受信手段だけでなくテレビ受信手段にもＦＭ多重放送信号を受信させ、双方の受信手段が受信したＦＭ多重放送信号のうち電界強度が高いものを復調するため、ＦＭ多重放送信号の受信感度が悪化した場合にＦＭ多重放送信号の受信経路を安定した受信感度の受信経路に切替えることができる。
また、テレビ受信用の複数のアンテナとアンテナ切替手段とを備えて、ＦＭ多重放送信号のブロック同期が確立されているか否かに応じてアンテナを切替えるため、ＦＭ多重放送信号の受信感度が悪化した場合にＦＭ多重放送信号の受信経路を安定した受信感度の受信経路に切替えることができる。
また、同一の情報を有するＦＭ多重放送信号の信号周波数が複数ある場合に、それぞれ周波数の異なるＦＭ多重放送信号を受信し、受信感度の良いものを復調するため、ＦＭ多重放送信号を安定して受信することができる。
【００６２】
（第２の実施の形態）
図２は、本発明の第２の実施の形態の車載受信装置の構成を示すブロック図である。
車載受信装置２００は、テレビジョン放送信号受信用の複数のテレビ用アンテナ１１０、複数のテレビ用アンテナ１１０と後述のテレビ受信手段１１５との接続を切替えるアンテナ切替手段２１１、テレビ用アンテナ１１０およびアンテナ切替手段２１１を介してテレビジョン放送信号および第１のＦＭ多重放送信号の何れかの放送信号を受信するテレビ受信手段１１５、ラジオ放送信号受信用のラジオ用アンテナ１２０、ラジオ用アンテナ１２０を介してラジオ放送信号および第２のＦＭ多重放送信号の何れかの放送信号を受信するラジオ受信手段１２５、テレビ受信手段１１５およびラジオ受信手段１２５のそれぞれが受信する放送信号の信号周波数を指定する周波数指定手段１３０、テレビ受信手段１１５またはラジオ受信手段１２５の何れかと後述のＦＭ多重信号復調手段１５２との接続を切替える接続切替手段２５１、ＦＭ多重放送信号を復調した信号である復調信号を生成するＦＭ多重信号復調手段１５２、復調信号に基づいてＦＭ多重放送信号のブロック同期が確立されているか否かを判定するブロック同期判定手段２６０、同一の情報を有するＦＭ多重放送信号を受信するための複数の信号周波数があることを示すフラグを検出するフラグ検出手段１８０、および復調信号に基づいてＦＭ多重放送の情報を出力する多重情報出力手段１９０によって構成される。
【００６３】
なお、接続切替手段２５１およびＦＭ多重信号復調手段１５２によって、第１のＦＭ多重放送信号および第２のＦＭ多重放送信号の何れかのＦＭ多重放送信号を復調する信号復調手段が構成され、ブロック同期判定手段２６０によって、第１のＦＭ多重放送信号および第２のＦＭ多重放送信号のそれぞれの受信感度を検出する受信感度検出手段が構成される。
【００６４】
また、ＦＭ多重放送において送信されている情報は、例えば、天気予報、道路交通情報、放送中の曲名情報などによって構成される。
また、第１のＦＭ多重放送信号および第２のＦＭ多重放送信号は、同一の情報を有しているものとする。
【００６５】
ここで、本発明の第２の実施の形態の車載受信装置２００を構成する構成手段のうち、上述した本発明の第１の実施の形態の車載受信装置１００における構成手段と同様の処理を行うものには同一の符号を付し、その説明を省略する。
【００６６】
アンテナ切替手段２１１には、テレビ受信手段１１５によって受信された第１のＦＭ多重放送信号が入力されるようになっており、アンテナ切替手段２１１は、入力された第１のＦＭ多重放送信号の電界強度を検出し、検出された電界強度が予め設定された値を超えているか否かを判定し、検出された電界強度が予め設定された値以下である場合には複数のテレビ用アンテナ１１０の何れかとテレビ受信手段１１５との接続を切替えるようになっている。
【００６７】
なお、アンテナ切替手段２１１は、テレビ受信手段１１５によってテレビジョン放送信号が受信されている場合にも、テレビジョン放送信号の受信状態に応じて複数のテレビ用アンテナ１１０の何れかとテレビ受信手段１１５との接続を切替えるようにもなっている。
【００６８】
接続切替手段２５１には、周波数指定手段１３０によって出力された第１の接続信号または第２の接続信号の何れかが入力されるようになっている。
また、接続切替手段２５１は、入力された第１の接続信号に応じてテレビ受信手段１１５とＦＭ多重信号復調手段１５２とを接続するようになっている。
また、接続切替手段２５１は、入力された第２の接続信号に応じてラジオ受信手段１２５とＦＭ多重信号復調手段１５２とを接続するようになっている。
【００６９】
さらに、接続切替手段２５１には、ブロック同期判定手段２６０によって出力された接続切替信号が入力されるようになっており、接続切替手段２５１は、入力された接続切替信号に応じてテレビ受信手段１１５およびラジオ受信手段１２５の何れかとＦＭ多重信号復調手段１５２との接続を切替えるようになっている。
【００７０】
ブロック同期判定手段２６０には、ＦＭ多重信号復調手段１５２によって出力された復調信号が入力され、ブロック同期判定手段２６０は、入力された復調信号に基づいてＦＭ多重放送信号のブロック同期が確立されているか否かを判定し、ＦＭ多重信号復調手段１５２によって復調されたＦＭ多重放送信号のブロック同期が確立されていないと判定された場合には接続切替信号を接続切替手段２５１に出力するようになっている。
【００７１】
以下、本発明の第２の実施の形態の車載受信装置の動作について説明する。
車載受信装置２００においてテレビジョン放送信号のみが受信される場合に、外部から周波数指定手段１３０にテレビジョン放送信号の受信が指示され、外部からの指示に応じた第１の指定周波数値が周波数指定手段１３０によってテレビ受信手段１１５に入力され、第１の指定周波数値に応じた周波数のテレビジョン放送信号がテレビ用アンテナ１１０およびアンテナ切替手段２１１を介してテレビ受信手段１１５によって受信される。
【００７２】
車載受信装置２００においてラジオ放送信号のみが受信される場合に、外部から周波数指定手段１３０にラジオ放送信号の受信が指示され、外部からの指示に応じた第２の指定周波数値が周波数指定手段１３０によってラジオ受信手段１２５に入力され、第２の指定周波数値に応じた周波数のラジオ放送信号がラジオ用アンテナ１２０を介してラジオ受信手段１２５によって受信される。
【００７３】
車載受信装置２００においてテレビジョン放送信号とＦＭ多重放送信号が受信される場合に、まず、外部から周波数指定手段１３０にテレビジョン放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数のテレビジョン放送信号がテレビ用アンテナ１１０およびアンテナ切替手段２１１を介してテレビ受信手段１１５によって受信され、第２の指定周波数値に応じた周波数のＦＭ多重放送信号がラジオ用アンテナ１２０を介してラジオ受信手段１２５によって受信される。
【００７４】
次に、第２の接続信号が周波数指定手段１３０によって接続切替手段１５１に入力され、ラジオ受信手段１２５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【００７５】
車載受信装置２００においてラジオ放送信号とＦＭ多重放送信号とが受信される場合に、まず、外部から周波数指定手段１３０にラジオ放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段２１１を介してテレビ受信手段１１５によって受信され、第２の指定周波数値に応じた周波数のラジオ放送信号がラジオ用アンテナ１２０を介してラジオ受信手段１２５によって受信される。
【００７６】
次に、第１の接続信号が周波数指定手段１３０によって接続切替手段２５１に入力され、テレビ受信手段１１５によって受信された第１のＦＭ多重放送信号がＦＭ多重信号復調手段１５２に入力され、第１のＦＭ多重放送信号がＦＭ多重信号復調手段１５２によって復調されて復調信号が生成され、復調信号に基づいたＦＭ多重放送の情報が多重情報出力手段１９０によって出力される。
【００７７】
ここで、アンテナ切替手段２１１によって第１のＦＭ多重放送信号の電界強度が検出され、検出された電界強度が予め設定された値以下であると判定された場合にはアンテナ切替手段２１１によってテレビ受信手段１１５と複数のテレビ用アンテナ１１０の何れかとの接続が切替えられる。
【００７８】
車載受信装置２００においてＦＭ多重放送信号のみが受信される場合に、まず、外部から周波数指定手段１３０にＦＭ多重放送信号の受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段２１１を介してテレビ受信手段１１５によって受信され、第２の指定周波数値に応じた周波数の第２のＦＭ多重放送信号がラジオ用アンテナ１２０を介してラジオ受信手段１２５によって受信される。
【００７９】
次に、ＦＭ多重信号復調手段１５２と接続されたテレビ受信手段１１５およびラジオ受信手段１２５の何れかによって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【００８０】
ここで、ＦＭ多重信号復調手段１５２とテレビ受信手段１１５とが接続されＦＭ多重信号復調手段１５２によって第１のＦＭ多重放送信号が復調され、第１のＦＭ多重放送信号のブロック同期が確立されていないと判定された場合には、接続切替信号がブロック同期判定手段２６０によって接続切替手段２５１に出力され、接続切替信号に応じて接続切替手段２５１によってＦＭ多重信号復調手段１５２とラジオ受信手段１２５とが接続される。
【００８１】
一方、ＦＭ多重信号復調手段１５２とラジオ受信手段１２５とが接続されＦＭ多重信号復調手段１５２によって第２のＦＭ多重放送信号が復調され、第２のＦＭ多重放送信号のブロック同期が確立されていないと判定された場合には、接続切替信号がブロック同期判定手段２６０によって接続切替手段２５１に出力され、接続切替信号に応じて接続切替手段２５１によってＦＭ多重信号復調手段１５２とテレビ受信手段１１５とが接続される。
【００８２】
なお、アンテナ切替手段２１１によって第１のＦＭ多重放送信号の電界強度が検出され、検出された電界強度が予め設定された値以下である場合にはアンテナ切替手段２１１によってテレビ受信手段１１５と複数のテレビ用アンテナ１１０の何れかとの接続が切替えられる。
【００８３】
また、フラグ検出手段１８０によってフラグが検出された場合には、検出されたフラグが周波数指定手段１３０に入力され、フラグに応じた第１の指定周波数値および第２の指定周波数値がテレビ受信手段１１５およびラジオ受信手段１２５に出力される。
【００８４】
以上説明したように、本発明の第２の実施の形態の車載受信装置は、ラジオ受信手段だけでなくテレビ受信手段にもＦＭ多重放送信号を受信させ、一方の受信手段によって受信されたＦＭ多重放送信号を復調し、ブロック同期が確立されていないと判定された場合にもう一方の受信手段によって受信されたＦＭ多重放送信号を復調するため、ＦＭ多重放送信号の受信感度が悪化した場合にＦＭ多重放送信号の受信経路を安定した受信感度の受信経路に切替えることができる。
また、テレビ受信用の複数のアンテナとアンテナ切替手段とを備えて、ＦＭ多重放送信号の電界強度に応じてアンテナを切替えるため、ＦＭ多重放送信号の受信感度が悪化した場合にＦＭ多重放送信号の受信経路を安定した受信感度の受信経路に切替えることができる。
また、同一の情報を有するＦＭ多重放送信号の信号周波数が複数ある場合に、それぞれ周波数の異なるＦＭ多重放送信号を受信し、受信感度の良いものを復調するため、ＦＭ多重放送信号を安定して受信することができる。
【００８５】
（第３の実施の形態）
図３は、本発明の第３の実施の形態の車載受信装置の構成を示すブロック図である。
車載受信装置３００は、テレビジョン放送信号受信用の複数のテレビ用アンテナ１１０、複数のテレビ用アンテナ１１０と後述のテレビ受信手段１１５との接続を切替えるアンテナ切替手段３１１、テレビ用アンテナ１１０およびアンテナ切替手段３１１を介してテレビジョン放送信号および第１のＦＭ多重放送信号の何れかの放送信号を受信するテレビ受信手段１１５、ラジオ放送信号受信用のラジオ用アンテナ１２０、ラジオ用アンテナ１２０を介してラジオ放送信号および第２のＦＭ多重放送信号の何れかの放送信号を受信するラジオ受信手段１２５、テレビ受信手段１１５およびラジオ受信手段１２５のそれぞれが受信する放送信号の信号周波数を指定する周波数指定手段１３０、第１のＦＭ多重放送信号の電界強度と第２のＦＭ多重放送信号の電界強度とを比較する電界強度比較手段１４０、テレビ受信手段１１５またはラジオ受信手段１２５の何れかと後述のＦＭ多重信号復調手段１５２との接続を切替える接続切替手段１５１、ＦＭ多重放送信号を復調した信号である復調信号を生成するＦＭ多重信号復調手段１５２、同一の情報を有するＦＭ多重放送信号を受信するための複数の信号周波数があることを示すフラグを検出するフラグ検出手段１８０、および復調信号に基づいてＦＭ多重放送の情報を出力する多重情報出力手段１９０によって構成される。
【００８６】
なお、接続切替手段１５１およびＦＭ多重信号復調手段１５２によって、第１のＦＭ多重放送信号および第２のＦＭ多重放送信号の何れかのＦＭ多重放送信号を復調する信号復調手段が構成され、電界強度比較手段１４０によって、第１のＦＭ多重放送信号および第２のＦＭ多重放送信号のそれぞれの受信感度を検出する受信感度検出手段が構成される。
【００８７】
また、ＦＭ多重放送において送信されている情報は、例えば、天気予報、道路交通情報、放送中の曲名情報などによって構成される。
また、第１のＦＭ多重放送信号および第２のＦＭ多重放送信号は、同一の情報を有しているものとする。
【００８８】
ここで、本発明の第３の実施の形態の車載受信装置３００を構成する構成手段のうち、上述した本発明の第１の実施の形態の車載受信装置１００における構成手段と同様の処理を行うものには同一の符号を付し、その説明を省略する。
【００８９】
アンテナ切替手段３１１には、テレビ受信手段１１５によって受信された第１のＦＭ多重放送信号が入力されるようになっており、アンテナ切替手段３１１は、入力された第１のＦＭ多重放送信号の電界強度を検出し、検出された電界強度が予め設定された値を超えているか否かを判定し、電界強度が予め設定された値以下である場合には複数のテレビ用アンテナ１１０の何れかとテレビ受信手段１１５との接続を切替えるようになっている。
【００９０】
なお、アンテナ切替手段３１１は、テレビ受信手段１１５によってテレビジョン放送信号が受信されている場合にも、テレビジョン放送信号の受信状態に応じて複数のテレビ用アンテナ１１０の何れかとテレビ受信手段１１５との接続を切替えるようにもなっている。
【００９１】
以下、本発明の第３の実施の形態の車載受信装置の動作について説明する。
車載受信装置３００においてテレビジョン放送信号のみが受信される場合に、外部から周波数指定手段１３０にテレビジョン放送信号の受信が指示され、外部からの指示に応じた第１の指定周波数値が周波数指定手段１３０によってテレビ受信手段１１５に入力され、第１の指定周波数値に応じた周波数のテレビジョン放送信号がテレビ用アンテナ１１０およびアンテナ切替手段３１１を介してテレビ受信手段１１５によって受信される。
【００９２】
車載受信装置３００においてラジオ放送信号のみが受信される場合に、外部から周波数指定手段１３０にラジオ放送信号の受信が指示され、外部からの指示に応じた第２の指定周波数値が周波数指定手段１３０によってラジオ受信手段１２５に入力され、第２の指定周波数値に応じた周波数のラジオ放送信号がラジオ用アンテナ１２０を介してラジオ受信手段１２５によって受信される。
【００９３】
車載受信装置３００においてテレビジョン放送信号とＦＭ多重放送信号が受信される場合に、まず、外部から周波数指定手段１３０にテレビジョン放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数のテレビジョン放送信号がテレビ用アンテナ１１０およびアンテナ切替手段３１１を介してテレビ受信手段１１５によって受信され、第２の指定周波数値に応じた周波数のＦＭ多重放送信号がラジオ用アンテナ１２０を介してラジオ受信手段１２５によって受信される。
【００９４】
次に、第２の接続信号が周波数指定手段１３０によって接続切替手段１５１に入力され、ラジオ受信手段１２５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【００９５】
車載受信装置３００においてラジオ放送信号とＦＭ多重放送信号とが受信される場合に、まず、外部から周波数指定手段１３０にラジオ放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段３１１を介してテレビ受信手段１１５によって受信され、第２の指定周波数値に応じた周波数のラジオ放送信号がラジオ用アンテナ１２０を介してラジオ受信手段１２５によって受信される。
【００９６】
次に、第１の接続信号が周波数指定手段１３０によって接続切替手段１５１に入力され、テレビ受信手段１１５によって受信された第１のＦＭ多重放送信号がＦＭ多重信号復調手段１５２に入力され、第１のＦＭ多重放送信号がＦＭ多重信号復調手段１５２によって復調されて復調信号が生成され、復調信号に基づいたＦＭ多重放送の情報が多重情報出力手段１９０によって出力される。
【００９７】
ここで、アンテナ切替手段３１１によって第１のＦＭ多重放送信号の電界強度が予め設定された値以下であると判定された場合には、アンテナ切替手段３１１によってテレビ受信手段１１５と複数のテレビ用アンテナ１１０の何れかとの接続が切替えられる。
【００９８】
車載受信装置３００においてＦＭ多重放送信号のみが受信される場合に、まず、外部から周波数指定手段１３０にＦＭ多重放送信号の受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段３１１を介してテレビ受信手段１１５によって受信され、第２の指定周波数値に応じた周波数の第２のＦＭ多重放送信号がラジオ用アンテナ１２０を介してラジオ受信手段１２５によって受信される。
【００９９】
次に、電界強度比較手段１４０によって第１の電界強度と第２の電界強度とが比較され、第２の電界強度よりも第１の電界強度が大きいと判定された場合に、第１の接続信号が電界強度比較手段１４０によって接続切替手段１５１に入力され、テレビ受信手段１１５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【０１００】
なお、アンテナ切替手段３１１によって第１のＦＭ多重放送信号の電界強度が予め設定された値以下であると判定された場合には、アンテナ切替手段３１１によってテレビ受信手段１１５と複数のテレビ用アンテナ１１０の何れかとの接続が切替えられる。
【０１０１】
一方、電界強度比較手段１４０によって第１の電界強度と第２の電界強度とが比較され、第１の電界強度よりも第２の電界強度が大きいと判定された場合に、第２の接続信号が電界強度比較手段１４０によって接続切替手段１５１に入力され、ラジオ受信手段１２５によって受信された第２のＦＭ多重放送信号がＦＭ多重信号復調手段１５２に入力され、第２のＦＭ多重放送信号がＦＭ多重信号復調手段１５２によって復調されて復調信号が生成され、多重情報出力手段１９０によって復調信号に基づいたＦＭ多重放送の情報が出力される。
【０１０２】
ここで、フラグ検出手段１８０によってフラグが検出された場合には、検出されたフラグが周波数指定手段１３０に入力され、フラグに応じた第１の指定周波数値および第２の指定周波数値がテレビ受信手段１１５およびラジオ受信手段１２５に出力される。
【０１０３】
以上説明したように、本発明の第３の実施の形態の車載受信装置は、ラジオ受信手段だけでなくテレビ受信手段にもＦＭ多重放送信号を受信させ、双方の受信手段が受信したＦＭ多重放送信号のうち電界強度が高いものを復調するため、ＦＭ多重放送信号の受信感度が悪化した場合にＦＭ多重放送信号の受信経路を安定した受信感度の受信経路に切替えることができる。
また、テレビ受信用の複数のアンテナとアンテナ切替手段とを備えて、ＦＭ多重放送信号の電界強度に応じてアンテナを切替えるため、ＦＭ多重放送信号の受信感度が悪化した場合にＦＭ多重放送信号の受信経路を安定した受信感度の受信経路に切替えることができる。
また、同一の情報を有するＦＭ多重放送信号の信号周波数が複数ある場合に、それぞれ周波数の異なるＦＭ多重放送信号を受信し、受信感度の良いものを復調するため、ＦＭ多重放送信号を安定して受信することができる。
【０１０４】
（第４の実施の形態）
図４は、本発明の第４の実施の形態の車載受信装置の構成を示すブロック図である。
車載受信装置４００は、テレビジョン放送信号受信用の複数のテレビ用アンテナ１１０、複数のテレビ用アンテナ１１０と後述のテレビ受信手段１１５との接続を切替えるアンテナ切替手段４１１、テレビ用アンテナ１１０およびアンテナ切替手段４１１を介してテレビジョン放送信号および第１のＦＭ多重放送信号の何れかの放送信号を受信するテレビ受信手段１１５、ラジオ放送信号受信用のラジオ用アンテナ１２０、ラジオ用アンテナ１２０を介してラジオ放送信号および第２のＦＭ多重放送信号の何れかの放送信号を受信するラジオ受信手段１２５、テレビ受信手段１１５およびラジオ受信手段１２５のそれぞれが受信する放送信号の信号周波数を指定する周波数指定手段１３０、テレビ受信手段１１５またはラジオ受信手段１２５の何れかと後述のＦＭ多重信号復調手段１５２との接続を切替える接続切替手段１５１、ＦＭ多重放送信号を復調した信号である復調信号を生成するＦＭ多重信号復調手段１５２、復調信号に基づいてＦＭ多重放送信号のブロック同期が確立されているか否かを判定するブロック同期判定手段４６０、同一の情報を有するＦＭ多重放送信号を受信するための複数の信号周波数があることを示すフラグを検出するフラグ検出手段１８０、および復調信号に基づいてＦＭ多重放送の情報を出力する多重情報出力手段１９０によって構成される。
【０１０５】
なお、接続切替手段１５１およびＦＭ多重信号復調手段１５２によって、第１のＦＭ多重放送信号および第２のＦＭ多重放送信号の何れかのＦＭ多重放送信号を復調する信号復調手段が構成され、ブロック同期判定手段４６０によって、第１のＦＭ多重放送信号および第２のＦＭ多重放送信号のそれぞれの受信感度を検出する受信感度検出手段が構成される。
【０１０６】
また、ＦＭ多重放送において送信されている情報は、例えば、天気予報、道路交通情報、放送中の曲名情報などによって構成される。
また、第１のＦＭ多重放送信号および第２のＦＭ多重放送信号は、同一の情報を有しているものとする。
【０１０７】
ここで、本発明の第４の実施の形態の車載受信装置４００を構成する構成手段のうち、上述した本発明の第１の実施の形態の車載受信装置１００における構成手段と同様の処理を行うものには同一の符号を付し、その説明を省略する。
【０１０８】
アンテナ切替手段４１１には、ブロック同期判定手段４６０によって出力されたアンテナ切替信号が入力されるようになっており、アンテナ切替手段４１１は、入力されたアンテナ切替信号に応じて複数のテレビ用アンテナ１１０の何れかとテレビ受信手段１１５との接続を切替えるようになっている。
【０１０９】
なお、アンテナ切替手段４１１は、テレビ受信手段１１５によってテレビジョン放送信号が受信されている場合にも、テレビジョン放送信号の受信状態に応じて複数のテレビ用アンテナ１１０の何れかとテレビ受信手段１１５との接続を切替えるようにもなっている。
【０１１０】
ブロック同期判定手段４６０には、ＦＭ多重信号復調手段１５２によって出力された第２のＦＭ多重放送信号に基づいた復調信号が入力されるようになっており、ブロック同期判定手段４６０は、入力された復調信号に基づいて第２のＦＭ多重放送信号のブロック同期が確立されているか否かを判定し、第２のＦＭ多重放送信号のブロック同期が確立されていない場合には第１の接続信号を接続切替手段１５１に出力するようになっている。
【０１１１】
さらに、ブロック同期判定手段４６０には、ＦＭ多重信号復調手段１５２によって出力された第１のＦＭ多重放送信号に基づいた復調信号が入力されるようになっており、ブロック同期判定手段４６０は、入力された復調信号に基づいて第１のＦＭ多重放送信号のブロック同期が確立されているか否かを判定し、第１のＦＭ多重放送信号のブロック同期が確立されていない場合にはアンテナ切替信号をアンテナ切替手段４１１に出力するようになっている。
【０１１２】
また、ブロック同期判定手段４６０は、テレビ用アンテナ１１０の数と同数のアンテナ切替信号をアンテナ切替手段４１１に出力した後に、第１のＦＭ多重放送信号のブロック同期が確立されていないと判定した場合に、第２の接続信号を接続切替手段１５１に出力するようになっている。
【０１１３】
以下、本発明の第４の実施の形態の車載受信装置の動作について説明する。
車載受信装置４００においてテレビジョン放送信号のみが受信される場合に、外部から周波数指定手段１３０にテレビジョン放送信号の受信が指示され、外部からの指示に応じた第１の指定周波数値が周波数指定手段１３０によってテレビ受信手段１１５に入力され、第１の指定周波数値に応じた周波数のテレビジョン放送信号がテレビ用アンテナ１１０およびアンテナ切替手段４１１を介してテレビ受信手段１１５によって受信される。
【０１１４】
車載受信装置４００においてラジオ放送信号のみが受信される場合に、外部から周波数指定手段１３０にラジオ放送信号の受信が指示され、外部からの指示に応じた第２の指定周波数値が周波数指定手段１３０によってラジオ受信手段１２５に入力され、第２の指定周波数値に応じた周波数のラジオ放送信号がラジオ用アンテナ１２０を介してラジオ受信手段１２５によって受信される。
【０１１５】
車載受信装置４００においてテレビジョン放送信号とＦＭ多重放送信号が受信される場合に、まず、外部から周波数指定手段１３０にテレビジョン放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数のテレビジョン放送信号がテレビ用アンテナ１１０およびアンテナ切替手段４１１を介してテレビ受信手段１１５によって受信され、第２の指定周波数値に応じた周波数のＦＭ多重放送信号がラジオ用アンテナ１２０を介してラジオ受信手段１２５によって受信される。
【０１１６】
次に、第２の接続信号が周波数指定手段１３０によって接続切替手段１５１に入力され、ラジオ受信手段１２５によって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【０１１７】
車載受信装置４００においてラジオ放送信号とＦＭ多重放送信号とが受信される場合に、まず、外部から周波数指定手段１３０にラジオ放送信号とＦＭ多重放送信号との受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段４１１を介してテレビ受信手段１１５によって受信され、第２の指定周波数値に応じた周波数のラジオ放送信号がラジオ用アンテナ１２０を介してラジオ受信手段１２５によって受信される。
【０１１８】
次に、第１の接続信号が周波数指定手段１３０によって接続切替手段１５１に入力され、テレビ受信手段１１５によって受信された第１のＦＭ多重放送信号がＦＭ多重信号復調手段１５２に入力され、第１のＦＭ多重放送信号がＦＭ多重信号復調手段１５２によって復調されて復調信号が生成され、復調信号に基づいたＦＭ多重放送の情報が多重情報出力手段１９０によって出力される。
【０１１９】
ここで、ブロック同期判定手段４６０によって第１のＦＭ多重放送信号のブロック同期が確立されていないと判定された場合にはアンテナ切替手段４１１によってテレビ受信手段１１５と複数のテレビ用アンテナ１１０の何れかとの接続が切替えられる。
【０１２０】
車載受信装置４００においてＦＭ多重放送信号のみが受信される場合に、まず、外部から周波数指定手段１３０にＦＭ多重放送信号の受信が指示され、外部からの指示に応じた第１の指定周波数値および第２の指定周波数値が周波数指定手段１３０によってテレビ受信手段１１５およびラジオ受信手段１２５に入力され、第１の指定周波数値に応じた周波数の第１のＦＭ多重放送信号がテレビ用アンテナ１１０およびアンテナ切替手段４１１を介してテレビ受信手段１１５によって受信され、第２の指定周波数値に応じた周波数の第２のＦＭ多重放送信号がラジオ用アンテナ１２０を介してラジオ受信手段１２５によって受信される。
【０１２１】
次に、ＦＭ多重信号復調手段１５２と接続されたテレビ受信手段１１５およびラジオ受信手段１２５の何れかによって受信されたＦＭ多重放送信号がＦＭ多重信号復調手段１５２に入力され、ＦＭ多重放送信号がＦＭ多重信号復調手段１５２によって復調されて復調信号が生成され、復調信号に基づいたＦＭ多重放送の情報が多重情報出力手段１９０によって出力される。
【０１２２】
ここで、ＦＭ多重信号復調手段１５２とラジオ受信手段１２５とが接続されＦＭ多重信号復調手段１５２によって第２のＦＭ多重放送信号が復調され、第２のＦＭ多重放送信号のブロック同期が確立されていないと判定された場合には、第１の接続信号がブロック同期判定手段４６０によって接続切替手段１５１に出力され、接続切替手段１５１によってＦＭ多重信号復調手段１５２とテレビ受信手段１１５とが接続される。
【０１２３】
一方、ＦＭ多重信号復調手段１５２とテレビ受信手段１１５とが接続されＦＭ多重信号復調手段１５２によって第１のＦＭ多重放送信号が復調され、第１のＦＭ多重放送信号のブロック同期が確立されていないと判定された場合には、アンテナ切替信号がブロック同期判定手段４６０によってアンテナ切替手段４１１に出力され、アンテナ切替手段４１１によってテレビ受信手段１１５と複数のテレビ用アンテナ１１０の何れかとの接続が切替えられる。
【０１２４】
さらに、ブロック同期判定手段４６０によってテレビ用アンテナ１１０の数と同数のアンテナ切替信号がアンテナ切替手段４１１に出力された後に、第１のＦＭ多重放送信号のブロック同期が確立されていないと判定された場合には、第２の接続信号がブロック同期判定手段４６０によって接続切替手段１５１に出力され、接続切替手段１５１によってＦＭ多重信号復調手段１５２とラジオ受信手段１２５とが接続される。
【０１２５】
なお、フラグ検出手段１８０によってフラグが検出された場合には、検出されたフラグが周波数指定手段１３０に入力され、フラグに応じた第１の指定周波数値および第２の指定周波数値がテレビ受信手段１１５およびラジオ受信手段１２５に出力される。
【０１２６】
以上説明したように、本発明の第４の実施の形態の車載受信装置は、ラジオ受信手段だけでなくテレビ受信手段にもＦＭ多重放送信号を受信させ、一方の受信手段によって受信されたＦＭ多重放送信号を復調し、ブロック同期が確立されていないと判定された場合にもう一方の受信手段によって受信されたＦＭ多重放送信号を復調するため、ＦＭ多重放送信号の受信感度が悪化した場合にＦＭ多重放送信号の受信経路を安定した受信感度の受信経路に切替えることができる。
また、テレビ受信用の複数のアンテナとアンテナ切替手段とを備えて、ＦＭ多重放送信号のブロック同期が確立されているか否かに応じてアンテナを切替えるため、ＦＭ多重放送信号の受信感度が悪化した場合にＦＭ多重放送信号の受信経路を安定した受信感度の受信経路に切替えることができる。
また、同一の情報を有するＦＭ多重放送信号の信号周波数が複数ある場合に、それぞれ周波数の異なるＦＭ多重放送信号を受信し、受信感度の良いものを復調するため、ＦＭ多重放送信号を安定して受信することができる。
【０１２７】
【発明の効果】
以上説明したように、本発明は、ＦＭ多重放送信号の受信状態が悪化した場合にＦＭ多重放送信号の受信経路を安定した受信状態の受信経路に切替えることができる車載受信装置を提供することができるものである。
【図面の簡単な説明】
【図１】本発明の第１の実施の形態の車載受信装置の構成を示すブロック図
【図２】本発明の第２の実施の形態の車載受信装置の構成を示すブロック図
【図３】本発明の第３の実施の形態の車載受信装置の構成を示すブロック図
【図４】本発明の第４の実施の形態の車載受信装置の構成を示すブロック図
【図５】従来の車載受信装置の構成を示すブロック図
【符号の説明】
１００、２００、３００、４００、９００　車載受信装置
１１０、９１０　テレビ用アンテナ
１１１、２１１、３１１、４１１　アンテナ切替手段
１１５、９１５　テレビ受信手段
１２０、９２０　ラジオ用アンテナ
１２５、９２５　ラジオ受信手段
１３０　周波数指定手段
１４０　電界強度比較手段
１５１、２５１　接続切替手段
１５２、９５２　ＦＭ多重信号復調手段
１８０　フラグ検出手段
１９０、９９０　多重情報出力手段
２６０、４６０　ブロック同期判定手段
【図１】
2004080681.tif 000003
【図２】
2004080681.tif 000004
【図３】
2004080681.tif 000005
【図４】
2004080681.tif 000006
【図５】
2004080681.tif 000007